(57)【要約】【課題】生体から採取されたＤＮＡ等の被検物質を取り扱うに当たり、当該被検物質の外部への不正な漏洩を防止する。【解決手段】被検物質であるＤＮＡ１１等を格納しておく被検物質格納装置１０に、被検物質を保持する保持部１２を設けるとともに、被検物質が不正に外部に取り出される又は破損される或いは被検物質に関する情報が取り出される危険に晒された場合に当該被検物質を破壊する破壊部１４を設けておく。そして、被検物質がこうした危険に晒された場合に破壊部が具える破壊剤１３によって被検物質の構造自体を破壊することにより、個人の遺伝子情報の漏洩を防止する。【選択図】      図１
2004163162.tif 000002
【特許請求の範囲】
【請求項１】
生体から採取された被検物質を保持する保持部と、該被検物質の構造を破壊する破壊部とを具えていることを特徴とする被検物質格納装置。
【請求項２】
請求項１に記載の被検物質格納装置において、前記被検物質格納装置まわりの外部環境の変動を感知する感知部と、該感知部が感知した前記外部環境の変動に基づいて前記破壊部を制御する制御部とを具えていることを特徴とする被検物質格納装置。
【請求項３】
請求項１または２に記載の被検物質格納装置において、前記被検物質はＤＮＡ及びタンパク質の双方またはいずれか一方を含むことを特徴とする被検物質格納装置。
【請求項４】
請求項１ないし３のいずれか一項に記載の被検物質格納装置において、前記外部環境の変動を、前記被検物質格納装置に作用する力、熱及び振動のうちの少なくとも一つの作用因子とすることを特徴とする被検物質格納装置。
【請求項５】
請求項１ないし４のいずれか一項に記載の被検物質格納装置において、
前記保持部を内部に有する第１容器を具え、
及び前記破壊部は、前記被検物質の構造を破壊する破壊剤と、該破壊剤を収容する第２容器と、前記制御部によって制御され、前記第１容器と前記第２容器との間を連通する第１開閉弁とを具えていることを特徴とする被検物質格納装置。
【請求項６】
請求項５に記載の被検物質格納装置において、前記破壊部は、第２容器内の前記破壊剤を前記第１開閉弁を介して第１容器内に押し出す押出し部を具えていることを特徴とする被検物質格納装置。
【請求項７】
請求項１ないし６のいずれか一項に記載の被検物質格納装置において、前記破壊部は、前記被検物質の構造を破壊する加熱部を具えていることを特徴とする被検物質格納装置。
【請求項８】
請求項１ないし７のいずれか一項に記載の被検物質格納装置において、前記第１容器の開閉を可能とする第２開閉弁を具えていることを特徴とする被検物質格納装置。
【請求項９】
請求項１ないし８のいずれか一項に記載の被検物質格納装置において、外部から情報を受信する通信部を具え、前記制御部は、前記情報に基づいて第２開閉弁の開閉を制御することを特徴とする被検物質格納装置。
【請求項１０】
請求項９に記載の被検物質格納装置において、前記制御部は、前記受信部が受信した前記情報と前記制御部があらかじめ記憶している情報とを比較して、双方の情報が一致した場合に前記第２開閉弁を開状態とすることを特徴とする被検物質格納装置。
【請求項１１】
請求項２に記載の被検物質格納装置において、前記感知部は、圧電材料を有することを特徴とする被検物質格納装置。
【請求項１２】
請求項５に記載の被検物質格納装置において、前記破壊剤は、強酸及び強アルカリの双方またはいずれか一方を含んでいることを特徴とする被検物質格納装置。
【請求項１３】
被検者から採取された被検物質及び該被検物質に関する情報を保管する工程と、
前記被検者からの検査依頼に応じて、該被検者の前記被検物質を取り出す工程と、
取り出された前記被検物質を複製する工程と、
複製された被検物質を、請求項１ないし１２のいずれか一項に記載の被検物質格納装置に格納して、所定の検査機関に提供する工程とを
含むことを特徴とする被検物質提供方法。
【発明の詳細な説明】
【０００１】
【発明の属する技術分野】
この発明は、特に、生体から採取されたＤＮＡ（デオキシリボ核酸）やタンパク質等を被検物質として用いて好適な被検物質格納装置、及びそれを用いた被検物質の提供方法に関する。
【０００２】
【従来の技術】
ヒトは約３〜４万個の遺伝子を有しており、ゲノム文字数は約３０億個にものぼる。ヒトの各部はこうした遺伝子情報によって構成されており、当該遺伝子情報に基づく機能が発現される。
【０００３】
ヒトの遺伝子情報のなかには、すべてのヒトに共通なものの他に固体固有の遺伝情子報である塩基多型（ＳＮＰ）と呼ばれるものがある。こうした塩基多型部分が、目鼻立ちを始めとする個体差を作り出している。
【０００４】
近年、こうした遺伝子情報の解析は、ガンや遺伝病等の疾病の機構やその治療方法を解明するうえで重要な役割を果たしている。
【０００５】
【発明が解決しようとする課題】
しかしながら、こうした遺伝子情報は個人のプライバシーに関するものである。
【０００６】
そのため、ＤＮＡなどの被検物質を取り扱う場合には、被検物質が外部に不正に取り出され個人に関する情報が漏洩するのを防止する必要がある。
【０００７】
しかしながら、その有効な解決策は見出されていないのが現状である。
【０００８】
この発明は上記問題点に鑑みなされたものであり、その目的は、生体から採取された例えばＤＮＡのような被検物質に対し、当該ＤＮＡが有する個人の遺伝子情報の漏洩を防止するセキュリティ機能が具備された被検物質格納装置、及び当該被検物質格納装置を用いた被検物質の提供方法を提供することにある。
【０００９】
【課題を解決するための手段】
そこで、この発明の被検物質格納装置は、下記のような構成上の特徴を有する。
【００１０】
すなわち、この発明の被検物質格納装置は、生体から採取された被検物質を保持する保持部と被検物質の構造を破壊する破壊部とを具えている。
【００１１】
上述した構成によれば、下記のような作用効果を奏する。すなわち、被検物質に対し不正なアクセスが行われる場合、例えば、被検物質が不正に外部に取り出される又は破損される或いは被検物質に関する情報が取り出される危険に晒された場合には、被検物質格納装置のおかれている外部環境は、通常予想される変動よりも大きく変動する。このような外部環境の異常な変動が生じたとき、破壊剤もしくは熱によって被検物質の構造自体を破壊することにより、当該被検物質が被検物質格納装置外へと取り出されたとしても、その構造が破壊されているので、被検物質自体の構造が外部に漏洩するのを防止できる。
【００１２】
【発明の実施の形態】
以下、図１から図３を参照して、この発明の実施の形態につき説明する。尚、図１及び図２は、この発明に係る被検物質格納装置の一構成例を概略的に示す断面図である。また、図３は、この被検物質格納装置を用いた被検物質の提供方法を説明するための概略図である。また、各図は、この発明が理解できる程度に各構成成分の形状、大きさ及び配置関係を概略的に示してあるに過ぎず、この発明をこれら図示例に限定するものではない。（また、図を分かり易くするために、断面を示すハッチング（斜線）は一部分を除き省略してある。）また、以下の説明において、特定の材料及び条件等を用いることがあるが、これら材料及び条件は好適例の一つに過ぎず、従って、何らこれらに限定されない。また、各図において同様の構成成分については同一の番号を付して示し、その重複する説明を省略することもある。
【００１３】
また、以下の各実施の形態では、被検物質として、生体から採取されたＤＮＡ（ＤＮＡ：デオキシリボ核酸）を用いた例につき説明するがこれに限定されず、タンパク質等であってもこの発明を適用することができる。
【００１４】
＜第１の実施の形態＞
１−１．この発明の第１の被検物質格納装置の説明
図１を参照して、この発明に係る第１の被検物質格納装置につき説明する。
【００１５】
この実施の形態の第１の被検物質格納装置である第１のＤＮＡ格納装置１０は、主として、保持部１２、破壊部１４、感知部１６、制御部１８及び通信部２０を具えた構成である。
【００１６】
保持部１２は、染色体から抽出されたＤＮＡ断片、すなわちポリヌクレオチド（以下、単にＤＮＡと称する。）１１を保持（固定）するためのガラス基板やシリコン基板等を具えており、空気又は窒素（Ｎ２）等の不活性ガスが充填された第１容器２２内に設置されている。
【００１７】
破壊部１４は、第２容器２４、第１開閉弁２６及び押出し部２８を具えている。第２容器２４は、ＤＮＡの構造を破壊する破壊剤１３を収容するための容器である。第１開閉弁２６は、第１容器２２と第２容器２４とを連通することができる弁であり、制御部１８によってその開閉制御が行われる。押出し部２８は、第２容器２４内に充填された破壊剤１３を第１開閉弁２６を介して第１容器２２内に押し出すアクチュエータ等であり、制御部１８によってその駆動が制御されている。
【００１８】
上述した第１容器２２は板状シリコン等の、例えば、長方体状のブロック体３５を凹状に、また、第２容器２４はブロック体３５を中空状に切削されて形成されている。
【００１９】
また、第２容器２４に収容される破壊剤１３には、次亜鉛素酸ソーダ（ＨＣｌＯ４）水溶液、塩酸（ＨＣｌ）、硫酸（Ｈ２ＳＯ４）及び硝酸（ＨＮＯ３）等のいずれかの強酸や、水酸化ナトリウム（ＮａＯＨ）及び水酸化バリウム（Ｂａ（ＯＨ）２）等のいずれかの強アルカリ（強塩基）等、被検物質の構造に応じて任意好適な破壊剤を選択することができる。尚、破壊剤１３は上述した液状のみ限られず、破壊剤としての機能を有するものであれば粉状やガス状であっても良い。また、第２容器２４には外部に開閉自在に連通した供給管３１が接続されており、第２容器２４への破壊剤１３の供給はこの供給管３１を介して行われる。尚、この供給管３１は、制御部１８によってその開閉が制御されている。すなわち、外部から通信部２０に送信された供給管３１の開閉弁（不図示）の解除コードに対し、後述する処理部３６においてその照合が行われる。そして、双方のコードの一致が確認された場合にのみ、処理部３６から供給管３１の開閉弁に当該開閉弁を閉状態から開状態にするための制御信号が出力され、破壊剤の充填が可能となる。
【００２０】
また、破壊剤を充填後は、供給管３１の開閉弁を再度開けることができないように設定されている。また、第２容器２４の内壁には、ガラスやテフロン（登録商標）等の破壊剤に対して安定な材料をコーティングしてある。
【００２１】
感知部１６は、第１のＤＮＡ格納装置１０まわりの、作用因子、例えば、力、熱及び振動等の外部環境の変動を感知する。ここでの構成例では、感知部１６を、外部から第１のＤＮＡ格納装置１０に作用する作用因子、例えば、力（圧力）の変動を感知する構成とする。例えば、この感知部１６を、第１のＤＮＡ格納装置１０の上面に設けられた後述する第２開閉弁３０と、その周辺領域３３と、底面１０ｂとを、ジルコン酸チタン酸鉛（ＰＺＴ）等の圧電材料によって形成した構成とするのが好適である。
【００２２】
この感知部１６が通常時の外部環境の変動とは異なる異常な外部環境を感知すると、この異常変動に基づいて、当該感知部１６に接続された制御部１８は、破壊部１４が具える第１開閉弁２６及び押出し部２８を駆動してＤＮＡ１１の破壊を制御する。尚、外部から第１のＤＮＡ格納装置１０にかかる力の変動を感知するに当たり、第１のＤＮＡ格納装置１０に歪みゲージ等の他の圧力センサ等を内蔵させた構成等であっても良い。また、感知部１６としては、その他に温度センサーや振動センサー等であっても良く、目的や設定に応じて任意好適に選択することができる。また、感知部１６がどの程度の大きさの外部環境の変動を感知したら制御部１８を作動させるのかの条件設定は、設計上任意好適に設定すれば良い。
【００２３】
第２開閉弁３０は、第１容器２２を開閉するために、当該第１容器２２の上部に設けられた弁である。この弁は、制御部１８によってその開閉が制御されている。
【００２４】
そして、第２開閉弁３０を制御部１８によって開状態として第１容器２２内のＤＮＡ１１を外部に露出させることにより、ＤＮＡ１１に対する蛍光標識法等による、目的とする塩基配列の有無の検査を行ったり、或いは、ポリメラーゼ連鎖反応法（ＰＣＲ法）等によるＤＮＡの増幅すなわちＤＮＡの複製を行うことができる。
【００２５】
通信部２０は、ＤＮＡ検査装置や増幅装置等の外部機器との間で情報の送受信を行う。この通信部２０は、制御部１８と接続されている。
【００２６】
制御部１８は、既に説明したように、主として、破壊部１４の第１開閉弁２６及び押出し部２８を駆動することによるＤＮＡ１１の破壊、及び第２開閉部３０の開閉を制御している。
【００２７】
詳細には、この制御部１８は、例えば、ブロック体３５の表面に設けられていて、記憶部３４と処理部３６とを具えている。記憶部３４には、第２開閉弁３０の解除暗号コード、格納されるＤＮＡの固体識別コード及び当該ＤＮＡに対して許可されている検査項目コード等に関する情報を記憶（格納）させることができる。処理部３６は、あらかじめ記憶させたこれら情報と通信部２０で受信した情報との照合を行ったり、感知部１６が感知した変動に基づいて、第１開閉弁２６及び押出し部２８にこれらを駆動するための信号を出力する。
【００２８】
また、上述した各部への電力供給は、不図示の共通電源から供給される。この共通電源は、あらかじめ電力を蓄積した構成のものや、通信部２０に情報が送信される際に当該通信部２０に照射される電磁波を電力として蓄積した構成のもの等を用いることができる。
【００２９】
１−２．この発明の第１の被検物質格納装置の動作例の説明
続いて、図１を参照して、上述した構成を有する第１のＤＮＡ格納装置１０の動作例につき説明する。
【００３０】
１−２−１．第１のＤＮＡ格納装置を正常動作させるためのセッティング
先ず、この第１のＤＮＡ格納装置１０を駆動させるに当たり、被検物質であるＤＮＡ断片１１の保持部１２への固定、第２容器２４への破壊剤１３（ここでは、次亜鉛素酸ソーダ水溶水）の充填、及び記憶部３４へのコード入力、例えば、第２開閉弁３０の解除暗号コード、格納されたＤＮＡの固体識別コード、当該ＤＮＡに対して許可されている検査項目コード及び当該検査実行のための暗号コード等の入力を行っておく。尚、このセッティング終了時の第１開閉弁２６及び第２開閉弁３０は閉状態である。
【００３１】
１−２−２．被検物質の検査（分析）方法
先ず、第１のＤＮＡ格納装置１０を所定の検査装置（不図示）にセットする（このとき、第１開閉弁２６及び第２開閉弁３０はともに閉状態である）。
【００３２】
その後、検査装置から通信部２０に、第２開閉弁３０を開状態とするための解除暗号コード（解除信号）が送信される。この解除暗号コードは通信部２０から制御部１８に送出され、処理部３６において記憶部３４があらかじめ格納している第２開閉弁３０の解除暗号コードと照合される。この照合によって双方のコードの一致が確認された場合にのみ、処理部３６から第２開閉弁３０に、当該第２開閉弁３０を閉状態から開状態にするための制御信号が出力される。また、この制御信号の出力に伴い、制御部１８から通信部２０を介してＤＮＡの固体識別コードを検査装置に送信することにより、検査を行う前に被検物質の固体確認を行うことも可能である。
【００３３】
こうして、第２開閉弁３０を開状態とすることにより、外部に露出されたＤＮＡ１１に対して蛍光標識法等の検査を実施することができる。
【００３４】
上述したように、この構成例によれば、第２開閉弁３０の解除暗号コードを取得している検査装置に対してのみ、被検物質であるＤＮＡ１１の検査（分析）を行うことができる。
【００３５】
よって、第２開閉弁３０の解除暗号コードを取得していない検査装置による不正な検査の実施を回避することができ、個人情報の漏洩を防止することができる。
【００３６】
また、特に、ＤＮＡの複製（増幅）が必要とされる特定の検査項目を行う場合には、検査装置から通信部２０に、上述した第２開閉弁３０の解除暗号コードのほかに、ＤＮＡに対する複製が許可されている検査項目コード及び当該検査実行のための暗号コード等を送信させる構成とするのが良い。
【００３７】
そうすることにより、処理部３６において、記憶部３４が格納している第２開閉弁３０の解除暗号コード、固体識別コード、検査項目コード及び暗号コードとの照合が行われる。そして、これら複数のコードの一致が確認された場合にのみ、当該処理部３６から第２開閉弁３０に当該第２開閉弁３０を開状態にする制御信号が出力されるようにする。
【００３８】
このように、特に、ＤＮＡの複製が必要な検査については、処理部３６における照合項目をさらに追加することにより、一層セキュリティ機能を高めることができる。
【００３９】
こうして、同様にして第２開閉弁３０を開状態とすることにより、外部に露出されたＤＮＡ１１に対して当該ＤＮＡの複製を伴う検査（分析）を実施することができる。尚、第１のＤＮＡ格納装置１０に、ＤＮＡの複製を行った検査装置の識別コード等を検査履歴として当該第１のＤＮＡ格納装置１０に記録させるような機構を設けても良い。
【００４０】
１−２−３．被検物質の破壊方法
また、この発明の第１のＤＮＡ格納装置１０は、内部のＤＮＡを不正に取り出そうとするときには、ＤＮＡ格納装置１０まわりの環境の変動が、通常予想される変動よりも大きな変動、すなわち異常変動を受ける。例えば、外部から当該ＤＮＡ格納装置１０に作用因子として例えば力（圧力）がかけられて、被検物質であるＤＮＡが不正に取り出される危険に晒された場合には、以下に説明する動作によって、ＤＮＡが外部に流出するのを防止することができる。
【００４１】
例えば、外部から第１のＤＮＡ格納装置１０に力がかかった場合、感知部１６が具える、第２開閉弁３０、その周辺領域３３及び底面１０ｂに設けられた圧電材料のうちの少なくとも１つが、圧電効果により外部環境の異常変動を感知する。
【００４２】
この圧電効果の発生により、感知部１６から制御部１８に外部環境の異常変動を伝達する信号が出力される。
【００４３】
制御部１８は、この外部環境の異常変動に基づいて、詳しくは、変動値が所定の閾値を越えた場合に、破壊部１４が具える第１開閉弁２６及び押出し部２８を駆動させる。尚、通常予想される変動値か又は異常変動値かを判定する閾値は、設計に応じた任意好適な閾値として設定すれば良い。
【００４４】
その結果、第１開閉弁２６が閉状態から開状態となり、第１容器２２と第２容器２４とが連通されるとともに、押出し部２８によって第２容器２４内の破壊剤（ここでは、次亜鉛素酸ソーダ水溶液）１３が第１開閉弁２６を介して第１容器２２内に押し出され、ＤＮＡ１１を破壊剤１３によって破壊することができる。尚、押出し部２８を設けることにより、ＤＮＡ１１と破壊剤１３とを迅速に接触させることができ、ＤＮＡ１１の破壊時間を短縮でき好適である。
【００４５】
従って、ＤＮＡ１１が不正に外部に取り出される又は破損される危険に晒された場合、第１のＤＮＡ格納装置１０に設けられた破壊剤１３によってＤＮＡ１１自体の構造を破壊するので、ＤＮＡ１１自体が外部に漏洩するのを防止することができる。
【００４６】
＜第２の実施の形態＞
２−１．この発明の第２の被検物質格納装置の説明
図２を参照して、この発明に係る第２の被検物質格納装置につき説明する。
【００４７】
この実施の形態の第２の被検物質格納装置である第２のＤＮＡ格納装置５０は、破壊部１４として、第１の実施の形態で説明した構成の替わりに、加熱部４０を具えている構成である点が第１の実施の形態との主な相違点である。また、第１の実施の形態で既に説明した構成要素と同一の構成要素には同一の番号を付して示し、その具体的な説明を省略する。
【００４８】
図２に示すように、第２のＤＮＡ格納装置５０が具える破壊部１４は、ＤＮＡを破壊する熱量を供給可能なヒーター等の加熱部４０を具えており、制御部１８によってその駆動が制御されている。
【００４９】
ここでは、加熱部４０が保持部１２を支持する位置に設けられた構成であるが、ＤＮＡを破壊する熱量を供給できる位置であればこれに限定されず、任意好適な位置とすることができる。
【００５０】
２−２．この発明の第２の被検物質格納装置の動作例の説明
続いて、図２を参照して、上述した構成を有する第２のＤＮＡ格納装置５０の動作例につき説明する。尚、ここでは被検物質の破壊方法についてのみ以下に説明し、その他の動作例については（１−２−１）及び（１−２−２）と同様であるためその説明を省略する。
【００５１】
第１の実施の形態の説明と同様に、例えば、外部からＤＮＡ格納装置１０に力（圧力）がかかった場合、感知部１６のうち第２開閉弁３０、その周辺領域３３及び底面１０ｂに設けられた圧電材料のうちの少なくとも１つが、圧電効果により外部環境の変動を感知する。
【００５２】
この圧電効果の発生により、感知部１６から制御部１８に外部環境の異常変動を伝達する信号が出力される。
【００５３】
制御部１８は、上述した第１の実施の形態の説明と同様に、この外部環境の異常変動に基づいて、詳しくは、変動値が所定の閾値を越えた場合に、破壊部１４が具える加熱部４０を駆動させる。
【００５４】
これにより、加熱部４０がＤＮＡ１１を破壊可能な加熱温度（ここでは、例えば、１００℃以上）となり、ＤＮＡ１１を破壊することができる。
【００５５】
上述したように、この構成例によれば、ＤＮＡ１１が不正に外部に取り出される又は破損される危険に晒された場合、第２のＤＮＡ格納装置５０に設けられた加熱部４０によってＤＮＡ１１自体の構造を加熱によって破壊し、ＤＮＡ１１自体が外部に漏洩するのを防止することができる。
【００５６】
さらに、この実施の形態では、第１の実施の形態に比べて破壊部１４の構成を簡略化できるので、第２のＤＮＡ格納装置５０の小型化が期待できる。
【００５７】
＜第３の実施の形態＞
図３を参照して、上述した構成を有する第１及び第２の被検物質格納装置を用いた、被検物質の提供方法につき説明する。
【００５８】
先ず、被検者６０が、当該被検者から採取したＤＮＡをＤＮＡバンク６５に送付する。
【００５９】
ＤＮＡバンク６５では、送付されたＤＮＡに関する情報をコンピュータに入力し当該ＤＮＡの登録を行うとともに、ＤＮＡ及び当該ＤＮＡに関する情報の保管を行う。
【００６０】
その後、被検者６０がＤＮＡバンク６５に、送付したＤＮＡの検査（分析）を依頼した場合、ＤＮＡバンク６５では、登録時にコンピュータに記録された情報に基づいて保管している複数個のＤＮＡの中から検査を依頼されたＤＮＡを選択して取り出す。
【００６１】
そして、ＤＮＡバンク６５では、取り出されたＤＮＡをＰＣＲ法等によって複製した後、複製されたＤＮＡを、第１（又は第２）の被検物質格納装置（ＤＮＡ格納装置）１０（又は５０）に格納して所定の検査機関７０に提供する。そして、所定の検査機関７０において検査が終了した後、検査結果はＤＮＡバンク６５を介して検査を依頼した被検者６０に報告される構成である。
【００６２】
この構成例のＤＮＡバンク６５は、複製されたＤＮＡを検査機関７０に提供するため、ＤＮＡバンク６０で保管しているＤＮＡが検査毎に消費される懸念がない。
【００６３】
また、被検者６０からのＤＮＡの採取は一度行えば良く、疾病機構や治療法が解明される毎に、各被検者６０からＤＮＡを採取する必要がないため効率的である。
【００６４】
この第１（又は第２）のＤＮＡ格納装置１０（又は５０）の主要な構成については既に説明した通りであるが、第１（又は第２）のＤＮＡ格納装置１０（又は５０）が具える記憶部３４に、さらに提供先である検査機関７０のＩＤコードを入力しておくのが好適である。
【００６５】
そうすることにより、第１（又は第２）のＤＮＡ格納装置１０（又は５０）を受け取った検査機関７０は、先ず、検査機関のＩＤコードの照合を行うことができる。そのため、第１（又は第２）のＤＮＡ格納装置１０（又は５０）を受け取った検査機関７０が本来指定された検査機関であるかを、第１（又は第２）のＤＮＡ格納装置１０（又は５０）を検査装置等にセットする前に確認でき効率的である。
【００６６】
また、該当する検査機関７０に提供された場合であっても、既に説明したように、第１（又は第２）のＤＮＡ格納装置１０（又は５０）は、第２開閉弁３０（図１参照）の解除暗号コードや検査項目コード等の照合を行うため、不正な検査の実施を回避でき個人情報の漏洩が防止される。
【００６７】
また、既に説明したように、検査機関７０に提供される搬送過程等において、ＤＮＡが不正に外部に取り出される又は破損される危険に晒された場合、第１（又は第２）のＤＮＡ格納装置１０（又は５０）は、ＤＮＡに対する破壊剤の添加や加熱等によりＤＮＡを破壊して当該ＤＮＡが外部に流出するのを防止する。
【００６８】
以上、この発明は、上述した実施の形態のみに限定されない。よって、任意好適な段階において好適な条件を組み合わせ、この発明を適用することができる。
【００６９】
【発明の効果】
上述した説明から明らかなように、この発明によれば、被検物質が不正に外部に取り出される又は破損される危険に晒された場合に、破壊部によって被検物質の構造を破壊することによって当該被検物質が外部に漏洩するのを防止できる。
【図面の簡単な説明】
【図１】この発明の第１の実施の形態の第１の被検物質格納装置の概略断面図である。
【図２】この発明の第２の実施の形態の第２の被検物質格納装置の概略断面図である。
【図３】この発明の被検物質格納装置を用いた被検物質の提供方法の説明に供する概略図である。
【符号の説明】
１０：第１のＤＮＡ格納装置（第１の被検物質格納装置）
１２：保持部
１４：破壊部
１６：感知部
１８：制御部
２０：通信部
２２：第１容器
２４：第２容器
２６：第１開閉弁
２８：押出し部
３０：第２開閉弁
３１：供給管
３３：第２開閉弁の周辺領域
３４：記憶部
３５：ブロック体
３６：処理部
４０：加熱部
５０：第２のＤＮＡ格納装置（第２の被検物質格納装置）
６０：被検者
６５：ＤＮＡバンク
７０：検査機関
【図１】
2004163162.tif 000003
【図２】
2004163162.tif 000004
【図３】
2004163162.tif 000005